(57)【特許請求の範囲】
【請求項１】
スケジューリングされているコンポーネントキャリアを確定する方法であって、
前記方法は、マルチキャリア無線通信システムのユーザ端末に用い、前記方法は、
前記ユーザ端末が、スケジューリング用コンポーネントキャリアが対応する第一専用捜索空間に、基地局が送信しているスケジューリング情報を受信し、前記第一専用捜索空間は、少なくとも１つの候補物理下り制御チャンネルを含み；
前記少なくとも１つの候補物理下り制御チャンネルを検出し、前記ユーザ端末に属する１つの現在の物理下り制御チャンネルを取得し；及び
前記第一専用捜索空間における前記現在の物理下り制御チャンネルの位置及びキャリア識別フィールドの値に基づいて、前記現在の物理下り制御チャンネルが対応する、スケジューリングされているコンポーネントキャリアを確定することを含む、方法。
【請求項２】
請求項1に記載の方法であって、
前記第一専用捜索空間における前記現在の物理下り制御チャンネルの位置及びキャリア識別フィールドの値に基づいて、前記現在の物理下り制御チャンネルが対応する、スケジューリングされているコンポーネントキャリアを確定する処理は、具体的に、
前記現在の物理下り制御チャンネルの位置に基づいて、前記現在の物理下り制御チャンネルが対応する捜索空間組を検出し、同じ物理下り制御チャンネルのアグリゲーションレベルの場合、同じ１つの候補物理下り制御チャンネルの位置が対応する全ての捜索空間は同じ１つの捜索空間組であり；及び
前記キャリア識別フィールドの値と組み合わせて、前記捜索空間組から、前記現在の物理下り制御チャンネルが所属する第二専用捜索空間を確定し、前記第二専用捜索空間は、スケジューリングされているコンポーネントキャリアが対応する捜索空間であり、前記キャリア識別フィールドの値は、前記現在の物理下り制御チャンネルの第二専用捜索空間のサイズ及び使用可能な制御チャンネルエレメントの総数に基づいて、異なるコンポーネントキャリアの捜索空間に対して設計を行う場合に、物理下り制御チャンネルの位置が各捜索空間に重複して出現する回数を表すことを含む、方法。
【請求項３】
請求項1又は2に記載の方法であって、
前記キャリア識別フィールドの値は、あるアグリゲーションレベルで、物理下り制御チャンネルが出現可能な位置の個数と反比例し、１つの捜索空間の順番号と正比例し、前記物理下り制御チャンネルが出現可能な位置の個数は、前記スケジューリング用コンポーネントキャリアが使用可能な制御チャンネルエレメントの総数と、前記現在の物理下り制御チャンネルのアグリゲーションレベルとの商であり、前記キャリア識別フィールドの値の範囲は、{0〜7}である、方法。
【請求項４】
請求項3に記載の方法であって、
前記キャリア識別フィールドの計算式は、具体的に、
【数１１】
0005569652.tif 000016
であり、
ここで、mは、前記現在の物理下り制御チャンネルが捜索空間に位置する位置の順番号を表し、Lは、前記現在の物理下り制御チャンネルのアグリゲーションレベルであり、M(L)は、アグリゲーションレベルがLである場合に、１つの捜索空間において候補物理下り制御チャンネルの総数を表し、ｎCLは、スケジューリングされているコンポーネントキャリアが対応する捜索空間の順番号を表し、NCCE,Kは、前記スケジューリング用コンポーネントキャリアが使用可能な制御チャンネルエレメントの総数を表し、
（外５）
0005569652.tif 000017
は、floor演算を表す、方法。
【請求項５】
請求項1又は2に記載の方法であって、
各前記捜索空間の分布は、連続的又は固定間隔を有するものである、方法。
【請求項６】
請求項1〜5の何れか１つに記載の方法であって、
前記現在の物理下り制御チャンネルが対応する、スケジューリングされているコンポーネントキャリアを確定した後に、さらに、
前記スケジューリング情報に従って、スケジューリングされているコンポーネントキャリア上で、基地局が送信している下りデータを受信し、又は、上りデータを伝送することを含む、方法。
【請求項７】
ユーザ端末であって、
前記ユーザ端末は、マルチキャリア無線通信システムに適用し、前記ユーザ端末は、
スケジューリング用コンポーネントキャリアが対応する第一専用捜索空間に、基地局が送信しているスケジューリング情報を受信するためのスケジューリング情報検出モジュールであって、前記第一専用捜索空間は、少なくとも１つの候補物理下り制御チャンネルを含む、スケジューリング情報検出モジュール；
前記少なくとも１つの候補物理下り制御チャンネルを検出し、前記ユーザ端末に属する１つの現在の物理下り制御チャンネルを取得するための候補物理下り制御チャンネル検出モジュール；及び
前記第一専用捜索空間における前記現在の物理下り制御チャンネルの位置及びキャリア識別フィールドの値に基づいて、前記現在の物理下り制御チャンネルが対応する、スケジューリングされているコンポーネントキャリアを確定するための確定モジュールを含む、ユーザ端末。
【請求項８】
請求項7に記載のユーザ端末であって、
前記確定モジュールは、
前記現在の物理下り制御チャンネルの位置に基づいて、前記現在の物理下り制御チャンネルが対応する捜索空間組を確定するための第一確定サブモジュールであって、同じ物理下り制御チャンネルのアグリゲーションレベルの場合、同じ１つの候補物理下り制御チャンネルの位置が対応する全ての捜索空間は同じ１つの捜索空間組である、第一確定サブモジュール；及び
前記キャリア識別フィールドの値と組み合わせて、前記捜索空間組から、前記現在の物理下り制御チャンネルが所属する第二専用捜索空間を確定するための第二確定サブモジュールであって、前記第二専用捜索空間は、スケジューリングされているコンポーネントキャリアが対応する捜索空間であり、前記キャリア識別フィールドの値は、前記現在の物理下り制御チャンネルの専用捜索空間のサイズ及び使用可能な制御チャンネルエレメントの総数に基づいて、異なるコンポーネントキャリアの捜索空間に対して設計を行う場合に、物理下り制御チャンネルの位置が各捜索空間に重複して出現する回数を表す、第二確定サブモジュールを含む、ユーザ端末。
【請求項９】
請求項7又は8に記載のユーザ端末であって、
前記キャリア識別フィールドの値は、あるアグリゲーションレベルで、物理下り制御チャンネルが出現可能な位置の個数と反比例し、１つの捜索空間の順番号と正比例し、前記物理下り制御チャンネルが出現可能な位置の個数は、前記スケジューリング用コンポーネントキャリアが使用可能な制御チャンネルエレメントの総数と、前記現在の物理下り制御チャンネルのアグリゲーションレベルとの商であり、前記キャリア識別フィールドの値の範囲は、{0〜7}である、ユーザ端末。
【請求項１０】
請求項9に記載のユーザ端末であって、
前記キャリア識別フィールドの計算式は、具体的に、
【数１２】
0005569652.tif 000018
であり、
ここで、mは、前記現在の物理下り制御チャンネルが捜索空間に位置する位置の順番号を表し、Lは、前記現在の物理下り制御チャンネルのアグリゲーションレベルであり、M(L)は、アグリゲーションレベルがLである場合に、１つの捜索空間において候補物理下り制御チャンネルの総数を表し、ｎCLは、スケジューリングされているコンポーネントキャリアが対応する捜索空間の順番号を表し、NCCE,Kは、前記スケジューリング用コンポーネントキャリアが使用可能な制御チャンネルエレメントの総数を表し、
（外６）
0005569652.tif 000019
は、floor演算を表す、ユーザ端末。
【請求項１１】
請求項7又は8に記載のユーザ端末であって、
各前記捜索空間の分布は、連続的又は固定間隔を有するものである、ユーザ端末。
【請求項１２】
請求項7〜11の何れか１つに記載のユーザ端末であって、さらに、
前記スケジューリング情報に従って、スケジューリングされているコンポーネントキャリア上で、基地局が送信している下りデータを受信し、又は、上りデータを伝送するためのデータ処理モジュールを含む、ユーザ端末。
【請求項１３】
スケジューリングされているコンポーネントキャリアのスケジューリング情報を送信する方法であって、
前記方法は、マルチキャリア無線通信システムの基地局に用い、前記方法は、
ユーザ端末のスケジューリングされているコンポーネントキャリアに基づいて、キャリア識別フィールドの値を計算し；
前記キャリア識別フィールドの値と下り制御情報とを組み合わせて、前記ユーザ端末の現在の物理下り制御チャンネルを生成し；及び
スケジューリング用コンポーネントキャリア上で、前記ユーザ端末に、スケジューリング情報を送信し、前記スケジューリング情報は、前記現在の物理下り制御チャンネルを含む、ことを含み、
前記キャリア識別フィールドの値は、あるアグリゲーションレベルで、物理下り制御チャンネルが出現可能な位置の個数と反比例し、１つの捜索空間の順番号と正比例し、前記物理下り制御チャンネルが出現可能な位置の個数は、前記スケジューリング用コンポーネントキャリアが使用可能な制御チャンネルエレメントの総数と、前記現在の物理下り制御チャンネルのアグリゲーションレベルとの商であり、前記キャリア識別フィールドの値の範囲は、{0〜7}である、方法。
【請求項１４】
請求項13に記載の方法であって、
前記キャリア識別フィールドの計算式は、具体的に、
【数１３】
0005569652.tif 000020
であり、
ここで、mは、前記現在の物理下り制御チャンネルが捜索空間に位置する位置の順番号を表し、Lは、前記現在の物理下り制御チャンネルのアグリゲーションレベルであり、M(L)は、アグリゲーションレベルがLである場合に、１つの捜索空間において候補物理下り制御チャンネルの総数を表し、ｎCLは、スケジューリングされているコンポーネントキャリアが対応する捜索空間の順番号を表し、NCCE,Kは、前記スケジューリング用コンポーネントキャリアが使用可能な制御チャンネルエレメントの総数を表し、
（外７）
0005569652.tif 000021
は、floor演算を表す、方法。
【請求項１５】
マルチキャリア無線通信システムに用いる基地局であって、
ユーザ端末のスケジューリングされているコンポーネントキャリアに基づいて、キャリア識別フィールドの値を計算するための計算モジュール；
前記値と下り制御情報とに基づいて、前記ユーザ端末の現在の物理下り制御チャンネルを生成するための候補物理下り制御チャンネル生成モジュール、；
スケジューリング用コンポーネントキャリア上で、該ユーザ端末に、スケジューリング情報を送信するためのスケジューリング情報送信モジュールであって、前記スケジューリング情報は、前記現在の物理下り制御チャンネルを含む、スケジューリング情報送信モジュールを含み、
前記計算モジュールは、さらに、
前記ユーザ端末のスケジューリングされているコンポーネントキャリアに基づいて、次の条件を満たすキャリア識別フィールドの値を計算するように構成され、
前記条件は、
前記キャリア識別フィールドの値が、あるアグリゲーションレベルで、物理下り制御チャンネルが出現可能な位置の個数と反比例し、１つの捜索空間の順番号と正比例し、前記物理下り制御チャンネルが出現可能な位置の個数が、前記スケジューリング用コンポーネントキャリアが使用可能な制御チャンネルエレメントの総数と、前記現在の物理下り制御チャンネルのアグリゲーションレベルとの商であり、前記キャリア識別フィールドの値の範囲が{0〜7}であるとの条件である、基地局。
【請求項１６】
請求項1５に記載の基地局であって、
前記計算モジュールは、さらに、
【数１４】
0005569652.tif 000022
により、キャリア識別フィールドの値を計算するように構成され、
ここで、mは、前記現在の物理下り制御チャンネルが捜索空間に位置する位置の順番号を表し、Lは、前記現在の物理下り制御チャンネルのアグリゲーションレベルであり、M(L)は、アグリゲーションレベルがLである場合に、１つの捜索空間において候補物理下り制御チャンネルの総数を表し、ｎCLは、スケジューリングされているコンポーネントキャリアが対応する捜索空間の順番号を表し、NCCE,Kは、前記スケジューリング用コンポーネントキャリアが使用可能な制御チャンネルエレメントの総数を表し、
（外８）
0005569652.tif 000023
は、floor演算を表す、基地局。
【請求項１７】
マルチキャリア無線通信システムであって、
前記システムは、請求項7〜12の何れか１つに記載のユーザ端末、及び、請求項15〜16の何れか１つに記載の基地局を含む、マルチキャリア無線通信システム。
【請求項１８】
マシン可読な命令コードを記憶しているプログラムであって、
前記命令コードは、マシンにより読み出されて実行されている時に、前記マシンに、請求項1〜6の何れか１つに記載の方法、又は、請求項13〜14の何れか１つに記載の方法を実行させる、プログラム。
【請求項１９】
マシン可読な命令コードを記憶している記憶媒体であって、
前記命令コードは、マシンにより読み出されて実行されている時に、前記マシンに、請求項1〜6の何れか１つに記載の方法、又は、請求項13〜14の何れか１つに記載の方法を実行させる、記憶媒体。
【発明の詳細な説明】
【技術分野】
【０００１】
本発明は、一般的に、無線通信技術に関し、具体的に言えば、マルチキャリアシステムにおいてスケジューリングされているコンポーネントキャリア（CC）を確定する方法、特に、無線通信システムの設備（例えば、基地局及びユーザ端末）に用いる、スケジューリングされているコンポーネントキャリアを確定する方法、該方法を実現するためのユーザ端末、基地局及びシステムに関する。
【背景技術】
【０００２】
LTE-R8では、システムのリソースが時間領域及び周波数領域の二次元グリッドに分割される。そのうち、時間領域における最小リソース単位は、１つの直交周波数分割多重（Orthogonal  Frequency  Division  Multiplexing、OFDM）によるシンボルであり、周波数領域における最小リソース単位は、１つのサブキャリアである。LTE-R8標準では、物理下り制御チャンネル（Physical  Downlink  Control  Channel、PDCCH）があり、下り制御情報（Downlink  Control  Information、DCI）を伝送するために用いられ得る。クロスキャリアスケジューリング（CCS）では、セルにおけるユーザ端末が、PDCCHをリスニング（listening）し、システム情報及びスケジューリング情報を取得する必要があり、スケジューリング情報は、スケジューリングされているコンポーネントキャリア上で伝送の下りデータをどこで受信するか及びどのように処理するかをUEに通知するために用いられ得る。
【０００３】
LTE-R8のシステムでは、１つのフレームにおける前の若干のOFDMシンボルがスケジューリング情報を伝送するために用いられ得る。ロジック上で、スケジューリング情報を伝送するためのこの若干のOFDMシンボルは、若干の制御チャンネルエレメント（Control  channel  element、CCE）に分割され得る。CCEは、DCIを構成する最小リソース単位であり、DCIを構成するCCEの数は、PDCCHのアグリゲーションレベル（aggregation  level）と称される。PDCCHのアグリゲーションレベルの可能な値は、1、2、4又は8であり、言い換えると、1、2、4又は8個のCCEにより、１つの完全なDCIを構成することができる。
【０００４】
１つのUE（ユーザ端末）は、ある特定のアグリゲーションレベルで、対応するPDCCH捜索空間（search  space）を有し、キャリアアグリゲーションの場合、クロスキャリアスケジューリング技術を採用すれば、UEは、同一のスケジューリング用コンポーネントキャリアから、異なる、スケジューリングされているコンポーネントキャリアのスケジューリング情報を検出する必要がある。よって、クロスキャリアスケジューリングでは、eNB（基地局）がスケジューリング用コンポーネントキャリア上で、UEに、自身の制御情報を伝送する必要があるだけではなく、他のスケジューリングされているコンポーネントキャリアの制御情報を伝送する必要もある。よって、eNBは、異なるコンポーネントキャリアが対応するスケジューリング情報を同時に伝送するために、スケジューリング用コンポーネントキャリアのCCEを分割し、異なるコンポーネントキャリアの捜索空間を得る必要がある。同時に、同一ユーザ端末の異なるコンポーネントキャリアのスケジューリング情報の間に混同が生じることを防止するために、DCIの前に、3個のビットのキャリア識別フィールド（Carrier  Indicator  Field、CIF）を追加し、異なるコンポーネントキャリアを区分する必要もある。
【０００５】
従来技術では、CIFの長さが3個のビット（bit）であり、CIFが表す数値は、現在のスケジューリング用コンポーネントキャリアによりスケジューリングされている他のコンポーネントキャリアを唯一に表すことができる。CIFは、LTE-R10では3ビットであると規定され、その値の範囲は、0〜7であるので、CIFはトータルで、異なる8個のコンポーネントキャリアしか表すことができない。即ち、UEは、従来技術におけるCIFの計算方式により、コンポーネントキャリアを確定し及び該コンポーネントキャリアが搬送するデータを後続に受信する時に、最大でも異なる8個のコンポーネントキャリア上で伝送を行うことができ、より多くのコンポーネントキャリアの確定及び後続のデータ受信を実現することができない。更に言えば、ずっと3個のbitのCIFを採用して異なるコンポーネントキャリアを表すことは、システムのリソースをも比較的に浪費する。
【０００６】
まとめて言うと、より多くのコンポーネントキャリアの確定を如何に実現するか、且つそれ相応に、基地局について言えば、より多くのコンポーネントキャリアが存在する時に、スケジューリング用コンポーネントキャリアによりスケジューリングされている情報を如何にUEに送信するか、更に言えば、異なるコンポーネントキャリアを表す時に、システムのリソースを如何に節約し得るかは、全て解決すべき技術的問題である。
【発明の概要】
【発明が解決しようとする課題】
【０００７】
上述に鑑み、本発明の実施例の１つの目的は、スケジューリングされているコンポーネントキャリアを確定する方法及びユーザ端末を提供することにあり、それらは、基地局が送信しているスケジューリング情報に基づいて、少なくとも１つの候補PDCCHから、１つの現在のPDCCHを検出し、さらに、上述の現在のPDCCHにおける下り制御情報DCIの位置及びその携帯しているキャリア識別フィールドCIFの値に基づいて、上述の現在のPDCCHが対応する、スケジューリングされているコンポーネントキャリアを確定するために用いられる。
【０００８】
本発明の実施例の他の目的は、スケジューリングされているコンポーネントキャリアのスケジューリング情報を送信する方法及基地局を提供することにあり、それらは、UEのスケジューリングされているコンポーネントキャリアに基づいてCIFの値を計算し、上述のCIFの値とDCI情報とを組み合わせて上述のUEの現在のPDCCHを生成し、そして、スケジューリング用コンポーネントキャリア上で、該UEに、現在のPDCCHを含むスケジューリング情報を送信するために用いられる。
【課題を解決するための手段】
【０００９】
本発明の実施例の一側面によれば、スケジューリングされているコンポーネントキャリアを確定する方法が提供される。この方法は、マルチキャリア無線通信システムにおけるユーザ端末UEに応用することができる。この方法は、UEが、スケジューリング用コンポーネントキャリアが対応する第一専用捜索空間に、基地局eNBが送信しているスケジューリング情報を受信し、前記第一専用捜索空間は、少なくとも１つの候補物理下り制御チャンネルPDCCHを含んでもよく；前記少なくとも１つの候補PDCCHを検出し、該UEに属する１つの現在のPDCCHを取得し；及び、前記現在のPDCCHの位置及びその携帯しているキャリア識別フィールドCIFの値に基づいて、前記現在のPDCCHが対応する、スケジューリングされているコンポーネントキャリアを確定することを含む。
【００１０】
本発明の実施例の他の側面によれば、ユーザ端末が提供される。このユーザ端末は、マルチキャリア無線通信システムに応用することができる。このユーザ端末は、ユーザ端末UEで、スケジューリング用コンポーネントキャリアが対応する第一専用捜索空間に、eNBが送信しているスケジューリング情報を受信するための受信モジュールであって、前記スケジューリング情報は、少なくとも１つの候補物理下り制御チャンネルPDCCHを含む、受信モジュール；前記少なくとも１つの候補PDCCHを検出し、該UEに属する１つの現在のPDCCHを取得するための検出モジュール；及び、前記現在のPDCCHの位置及びその携帯しているキャリア識別フィールドCIFの値に基づいて、前記現在のPDCCHが対応する、スケジューリングされているコンポーネントキャリアを確定するための確定モジュールを含む。
【００１１】
本発明の実施例の他の側面によれば、スケジューリングされているコンポーネントキャリアのスケジューリング情報を送信する方法が提供される。この方法は、マルチキャリア無線通信システムにおける基地局eNBに応用することができる。この方法は、ユーザ端末UEのスケジューリングされているコンポーネントキャリアに基づいてキャリア識別フィールドCIFの値を計算し；前記CIFの値及び下り制御情報DCIに基づいて前記UEの現在のPDCCHを生成し；及び、スケジューリング用コンポーネントキャリア上で、該UEに、前記現在のPDCCHを含むスケジューリング情報を送信することを含む。
【００１２】
本発明の実施例の他の側面によれば、基地局が提供される。この基地局は、マルチキャリア無線通信システムに応用することができる。この基地局は、ユーザ端末UEのスケジューリングされているコンポーネントキャリアに基づいて、キャリア識別フィールドCIFの値を計算するための計算モジュール；前記CIFの値と下り制御情報DCIとを組み合わせて前記UEの現在のPDCCHを生成するための候補PDCCH生成モジュール；及び、スケジューリング用コンポーネントキャリア上で、該UEに、前記現在のPDCCHを含む送信スケジューリング情報を送信するためのスケジューリング情報送信モジュールを含む。
【００１３】
本発明の実施例の他の側面によれば、マルチキャリア無線通信システムが提供される。前記システムは、本発明が提供している前記ユーザ端末及び前記基地局を含む。
【００１４】
本発明の実施例の他の側面によれば、マシン可読な命令コードを記憶しているプログラムプロダクトが提供される。前記命令コードは、マシンにより読み出されて実行されている時に、本発明が提供している、スケジューリングされているコンポーネントキャリアを確定する方法を実現させることができる。
【００１５】
本発明の実施例の他の側面によれば、記憶媒体が提供される。それは、マシン可読な命令コードを記憶しており、前記命令コードは、マシンにより読み出されて実行されている時に、本発明が提供している、スケジューリングされているコンポーネントキャリアを確定する方法を実現させることができる。
【００１６】
本発明の実施例による上述の技術案によれば、UEは、PDCCHを検出した後に、そのうちのDCI位置が属する可能性のあるコンポーネントキャリアを１つの捜索空間組（group）とし、さらにCIF中の情報とを組み合わせることにより、現在に検出したPDCCHが携帯している制御情報がどのコンポーネントキャリアに属するかを唯一に確定することができる。CIFによりコンポーネントキャリアの順番号を直接表す必要がもうないので、本発明の実施例を採用することにより、マルチキャリア無線通信システムにおいてより多くのコンポーネントキャリアの確定を実現することができると同時に、より多くのコンポーネントキャリアの確定を実現する必要が無くでも、CIFの3個のbitを全て使用する必要がなく、例えば、CIFの残りの１桁又は２桁により他の制御情報等を表すことができるので、システムのリソースを更に節約することができる。
【００１７】
次の明細書の部分には、本発明の実施例の他の側面を示しており、そのうち、本発明を十分に開示するための好適な実施例を詳しく説明しているが、本発明は、それに限定されない。
【図面の簡単な説明】
【００１８】
次に、具体的な実施例及び図面を参照しながら、本発明の上述及び他の目的並びに利点を更に説明する。図面では、同じ又は対応する技術的特征又は部品が、同じ又は対応する符号により表される。
【図１】本発明による、スケジューリングされているコンポーネントキャリアを確定する実施例のフローチャートである。
【図２】図1に示す、スケジューリングされているコンポーネントキャリアを確定する実施例におけるCCEの総数を示す図である。
【図３】図1に示す実施例における、スケジューリングされている各コンポーネントキャリアの捜索空間の排列を示す図である。
【図４】図1に示すような、スケジューリングされているコンポーネントキャリアを確定する実施例におけるステップ103の１つの具体的な実現方式のフローチャートである。
【図５】実施例における、捜索空間組及び捜索空間をそれぞれ確定する界面（インターフェース）を示す図である。
【図６】本発明による、スケジューリング情報を生成する実施例のフローチャートである。
【図７】本発明の実施例によるユーザ端末の構造を示す図である。
【図８】本発明の実施例による基地局の構造を示す図である。
【図９】本発明によるマルチキャリア無線通信システムの実施例の構造を示す図である。
【図１０】本発明の実施例を実施し得る汎用パーソナルコンピュータ100の構造を示す図である。
【発明を実施するための形態】
【００１９】
以下、図面を参照しながら本発明の実施例について説明する。
【００２０】
本発明の実施例に開示の内容によれば、UEは、スケジューリング用コンポーネントキャリアが対応する第一専用捜索空間に、基地局eNBが送信しているスケジューリング情報を受信することができ、該第一専用捜索空間は、少なくとも１つの候補物理下り制御チャンネルPDCCHを含み；該少なくとも１つの候補PDCCHを検出し、該UEに属する１つの現在のPDCCHを取得し、そして、該現在のPDCCHの位置及びその携帯しているキャリア識別フィールドCIFの値に基づいて、該現在のPDCCHが対応する１つのスケジューリングされているコンポーネントキャリアを唯一に確定することができる。そのうち、該PDCCHの位置は、該位置に出現可能な全てのコンポーネントキャリアからなる１つの捜索空間組を確定することができ、CIFの値は、該捜索空間組から唯一の１つの捜索空間を確定すればよく、１つの捜索空間は、１つのスケジューリングされているコンポーネントキャリアに唯一に対応する。
【００２１】
それ相応に、本発明の実施例に開示の内容によれば、キャリアアグリゲーション無線通信システムでは、eNBも、UEに、スケジューリングされているコンポーネントキャリアのスケジューリング情報を送信する必要がある。eNBは、まず、UEのスケジューリングされているコンポーネントキャリアに基づいてCIFの値を計算し；その後、eNBは、CIFの値及び下り制御情報DCIに基づいて、UEの現在のPDCCHを生成し；次に、スケジューリング用コンポーネントキャリア上で、該UEにスケジューリング情報を送信し、前記スケジューリング情報は、現在のPDCCHを含む。本発明の実施例では、UEは、現在のPDCCH位置に基づいて１つの捜索空間組を確定することができるので、この時、eNBにより算出したCIFは、該捜索空間組における１つの捜索空間のみを示す必要があり、CIFの値は、専用捜索空間のサイズ及び使用可能なCCEの総数に基づいて、異なるコンポーネントキャリアの捜索空間を設計する場合、PDCCHの位置が各捜索空間に重複して出現する回数のみを示す必要がある。
【００２２】
当業者が本発明の実施例におけるCIFの値をより良く理解することができるために、次に、図2及び図3に基づいて１つの例を挙げてCIFを説明する。例えば、CCEの総数が43、PDCCHのアグリゲーションレベルが2である場合、DCIの個数が21個を有し、１つの捜索空間に6個の候補DCIがあり（即ち、12個のCCE）、よって、43個のCCEについて言えば、3個の捜索空間（SS1、SS2及びSS3）しかを排列することができず、SS4を排列しようとする時に、CCEの個数が足りないので、MOD演算を行った後に、再び第１個のCCEから捜索空間（即ち、SS4、SS5及びSS6）に対してソート（並べ替え）を行うことができる。上述の場合、SS1、SS2及びSS3の間の各CCEは、全て、重複しないものであり、SS1及びSS4の間のCCEは、重複するものが存在し、SS2及びSS5の間のCCEも、重複するものが存在し、SS3及びSS6の間のCCEも、重複するものが存在し、よって、この例について言えば、SS1、SS2及びSS3の間のCCEは、重複せず、「第一回（の非重複）」と記し、また、対応するキャラクター（フラグ）が“0”であると仮定し、SS4、SS5及びSS6の間も重複するものが存在せず、「第二回（の非重複）」と記し、対応するキャラクターが“1”であると仮定する。CIFの値は、対応する捜索空間におけるそのキャラクター（0又は1）を示すことができればよい。なお、この例では、キャラクター“0”、“1”を用いて、CCEが並べ替えに重複する回数（即ち、図3において何行目にあるか）を表すが、当業者が理解すべきは、任意のキャラクターが使用可能なものであり、これらのキャラクターと、CCEが並べ替えに実際に重複する回数との間のマッピング関係を予め設定すればよいとのことである。
【００２３】
本発明の実施例では、スケジューリングされているコンポーネントキャリアとは、UE及びeNBが交互通信を行う時に使用する複数の周波数帯域のうちの１つを指す。UEは、１つの周波数帯域にて、全ての送信データの周波数帯域の制御情報をスケジューリングすることができ、そのうち、スケジューリングされている１つの周波数帯域は、１つのコンポーネントキャリアと定義され、コンポーネントキャリアは、スケジューリング用コンポーネントキャリア自身をも含み、なぜなら、スケジューリング用コンポーネントキャリアもデータ情報を伝送するからである。
【００２４】
当業者が本発明をよりよく理解することできるために、次に、本発明の実際応用における１つの実施例を挙げて詳しい説明を行う。図1を参照するに、図１は、本発明の１つの実施例のフローチャートを示しており、本実施例は、主に、マルチキャリア無線通信システムのUEに応用され、具体的には、ステップ101、102及び103を含んでもよい。次に、各ステップの操作（処理）について詳細に説明する。
【００２５】
ステップ101：UEは、スケジューリング用コンポーネントキャリアが対応する第一捜索空間に、基地局eNBが送信しているスケジューリング情報を受信し、該第一専用捜索空間は、少なくとも１つの候補物理下り制御チャンネルPDCCHを含む。
【００２６】
本発明の実施例における捜索空間は、コンポーネントキャリアの制御チャンネルを構成するCCE集合（セット）における一組の特定のCCEを含み、該組の特定のCCEには、若干（幾つか）のDCIを預ける（置く）ことができ、１つのDCIは、１つのPDCCHに対応して属し、具体的な候補DCIの数は、PDCCHの異なるアグリゲーションレベルによって異なってもよい。異なるUEについて言えば、自己の無線ネットワーク一時的識別子（Radio  Network  Temporary  Identifier、RNTI）及び現在のフレーム番号に基づいて、自己の捜索空間の開始位置を確定することができ、これにより、自身の捜索空間に、eNBが送信しているスケジューリング情報を受信することができる。本発明の実施例は、クロスキャリアスケジューリングに応用することができ、UEが対応する異なるコンポーネントキャリアは、異なる捜索空間を有してもよい。
【００２７】
仮に、実施例では、スケジューリング用コンポーネントキャリアの帯域幅が10MHz、アンテナのポート数が2であるとすると、この場合、スケジューリング用コンポーネントキャリアのPDCCHに使用可能なCCEの総数が43である。本発明の実施例では、PDCCHのアグリゲーションレベルの値が2であること、即ち、2個のCCEから１つのDCIを成すことを例として説明を行う。図2の図示を参照するに、図２は、本実施例におけるCCEの総数を示す図であり、図2に示す式は、ユーザ（UE）のRNTI及びフレーム番号に基づいて、図中のDCI位置の順番号を計算する方式を示している。図中には、1、2、…、21を含む、トータルで21個の小さい四角枠があり、DCIの順番号を表すために用いられ、分かるように、各DCIは、2個のCCEからなる。
【００２８】
図3の図示を同時に参照するに、図３は、クロスキャリアスケジューリングでのスケジューリング用コンポーネントキャリアの制御信号の領域に、スケジューリングされている各コンポーネントキャリアの捜索空間（Search  Space、SS）の排列位置を示す図である。図3では、楕円形でマック（mark）しているような１つの長方形の四角枠が１つのCCEであり、図3に示すCCEの排列には、２行のCCEが存在するが、実際には、一組のCCEリソース（トータルで43個のCCE）のみが存在し、即ち、図3中の１行のCCEは、捜索空間に対して一回のCCE非重複の並べ替えを行ったことを表し、図3では、異なる捜索空間を区分するために、垂直な方向に２行を採用してSS4、SS5及びSS6を区分し、このようにして、捜索空間に対して行ったCCE非重複の並べ替えの回数が2であることを表し、これにより、CIFの値は、“0”又は“1”を示すことだけで、スケジューリングされているコンポーネントキャリアを確定することができる。
【００２９】
ステップ102：該少なくとも１つの候補PDCCHを検出し、該UEに属する１つの現在のPDCCHを取得する。
【００３０】
RNTIに基づいて、ユーザの１つの現在のPDCCHを検出した後に、さらに、検出したPDCCH中のCIF値に基づいて、現在のPDCCHがどのコンポーネントキャリアに対応するかを検出する必要がある。図3から分かるように、本実施例では、捜索空間の排列が、CCEの総数に対してMOD演算を行う意味で、連続的な排列であり、即ち、本発明の実施例では、該捜索空間は、次の条件を満たす必要があり、即ち、各捜索空間の分布が連続的又は固定の間隔を有するものであれば、UEが、検出した現在のPDCCHの位置に基づいて、一組の、該現在のPDCCHの所属するコンポーネントキャリアの捜索空間を唯一に確定するようにさせることができる。
【００３１】
クロスキャリアスケジューリングにおいて捜索空間の設計を行う時に、次の式で行ってもよい。
【数１】
0005569652.tif 000002
【００３２】
そのうち、該Lは、現在のUEのPDCCHのアグリゲーションレベルを表し、NCCE,Kは、現在のスケジューリング用コンポーネントキャリアが使用可能なCCEの総数を表し、Ykは、ユーザRNTI及びフレーム番号により唯一に確定した偽ランダムナンバーであり、M(L)は、アグリゲーションレベルがLである場合、捜索空間においてユーザの候補PDCCHの個数であり、ｎCIは、捜索空間の並べ替え時の順番号を表し、modは、MOD演算を表す。上述の式が表す意味は、アグリゲーションレベルがLである場合、各異なるコンポーネントキャリアの捜索空間が、現在の全てのCCEに預ける（置く）ことができるPDCCHの総数に対してMOD演算を行う意味で、連続的であり、よって、１つの候補PDCCHの位置には、固定の１つの捜索空間セットが存在し、該位置に出現するPDCCHは、この捜索空間セットにおける１つの捜索空間のみに属することができる。
【００３３】
ステップ103：該現在のPDCCHの位置及その携帯しているキャリア識別フィールドCIFの値に基づいて、該現在のPDCCHが対応する、スケジューリングされているコンポーネントキャリアを確定する。
【００３４】
本実施例では、スケジューリングされているコンポーネントキャリアの確定は、現在のPDCCHの位置情報及びその携帯しているCIFの値とともに関係する。UEについて言えば、現在のPDCCHを検出して取得した時に、現在のPDCCHの位置を把握することができ、これによって、さらに、現在のPDCCHの位置に出現可能な捜索空間を把握することができ、即ち、幾つかの確定されているコンポーネントキャリアの捜索空間に属する可能性があることを確定しており、この幾つかの確定されている捜索空間は、該PDCCH位置に出現する可能性のある捜索空間の組み合あわせと理解されてもよい。該CIFの値は、既に確定されている捜索空間の組み合わせにおける１つのコンポーネントキャリアの捜索空間のみを確定することができればよい。
【００３５】
本実施例では、CIFの値は、PDCCHのアグリゲーションレベル及びCCEの総数等と関係が存在し、且つ、CIFの値は、捜索空間の組み合わせから１つの捜索空間を唯一に確定し、さらに、該捜索空間がどのコンポーネントキャリアに対応するかを確定することができればよいので、CIFの満足する条件は、CIFの値が、あるアグリゲーションレベルで、PDCCHの出現可能な位置の個数と反比例し、１つの捜索空間の順番号と正比例し、前記PDCCHの出現可能な位置の個数は、スケジューリング用コンポーネントキャリアの使用可能なCCEの総数と、PDCCHのアグリゲーションレベルとの商であり、また、CIFが3個のビットのみを有するので、CIFの値の範囲は、{0〜7}であり、CIFは、0、1、2、3、4、5、6及び7の、トータルで８個の値を取ることができる。
【００３６】
オプションで、該CIFの値は、次のような式で計算され得る。
【数２】
0005569652.tif 000003
【００３７】
そのうち、mは、現在のPDCCHが捜索空間にある位置の順番号を表し、Lは、現在のPDCCHのアグリゲーションレベルであり、M(L)は、アグリゲーションレベルがLである場合に、１つの捜索空間における候補PDCCHの総数を表し、ｎCLは、スケジューリングされているコンポーネントキャリアが対応する捜索空間の順番号を表し、NCCE,Kは、前記スケジューリング用コンポーネントキャリアが使用可能なCCEの総数を表し、
（外１）
0005569652.tif 000004
は、floor演算（最も小さい整数値にする）を表す。
【００３８】
もちろん、上述の式は、CIFの値を計算するための１つの方式だけであり、CIFの満足する条件に符合する他の計算方式は全て採用され得る。例えば、関数を採用してCIFを計算してもよく、又は、次の式を採用して変形を行うことにより他の式を取得してもよい。
【数３】
0005569652.tif 000005
【００３９】
実際の応用では、図4の図示を参照するに、１つの具体的な実現方式では、図1に示すステップ103は、実現時に、サブステップ401及び402を含んでもよい。次に、サブステップ401及び402の操作（処理）を詳しく説明する。
【００４０】
サブステップ401：現在のPDCCHの位置に基づいて、現在のPDCCHが対応する捜索空間組を確定し、同じ候補PDCCHが対応する全ての捜索空間は、同じ捜索空間組を構成する。
【００４１】
本実施例における捜索空間は、「あるアグリゲーションレベルで、ある位置に出現するDCIが特定のあるコンポーネントキャリアの捜索空間のみに存在し、且つこの特定の集合が確定されているものである」ことを満たし、言い換えると、１つの候補PDCCHの位置、及びUEのRNTI及びフレーム番号が知られている場合、UE及びeNBの両方では、該位置のPDCCHがどのようなコンポーネントキャリアの捜索空間に属するかを明確に推定することができる。
【００４２】
図5を参照するに、図５は、本実施例における、捜索空間組及び捜索空間をそれぞれ確定する界面（インターフェース）を示す図である。図5から分かるように、次の式
【数４】
0005569652.tif 000006
により、現在のPDCCH位置がどのようなコンポーネントキャリアに属する可能性があるかを検索することができ、即ち、該PDCCHの位置が属する可能性のある捜索空間組を確定することができる。仮に、上述の式で計算して得られた値が6であるとすると、図5の図示を参照するに、前の２個のPDCCHが空であるので、第6個のPDCCHの位置は、SS1が所在する第一列の捜索空間組、即ち、{SS1、SS4、…、SSN-2}のみに存在する可能性がある。図5のSSの分布状況を同時に参照することにより分かるように、SSの分布では、各縦方向上の一列のSSが１つのSS組である。例えば、{SS2、SS5、…、SSN-1}、{SS3、SS6、…、SSN}である。
【００４３】
ここで、各１つのSS組における各SSの順番号は、等間隔で排列されており、具体的な間隔の値は、CCEの総数及び現在のPDCCHのアグリゲーションレベルに関連する。このステップを行った後に、スケジューリングされているコンポーネントキャリアの対応する捜索空間がどの捜索空間組に属するかを得ることができ、即ち、何列目の捜索空間に属するかを得ることができる。
【００４４】
サブステップ402：CIFの値とあわせて、捜索空間組から、現在のPDCCHが所属する第二専用捜索空間を確定し、該第二専用捜索空間は、スケジューリングされているコンポーネントキャリアが対応する捜索空間であり、該CIFの値は、専用捜索空間のサイズ及び使用可能なCCEの総数に基づいて、異なるコンポーネントキャリアの捜索空間に対して設計を行う場合、PDCCHの位置が各捜索空間に重複して出現する回数を表す。
【００４５】
本実施例で紹介した捜索空間の分布方式の下で、並べ替え順番が後ろにあるコンポーネントキャリアの捜索空間、例えば、図5におけるSS4、SS5及びSS6の捜索空間は、MOD演算の関係で、再び第１個のCCEの位置から計算され得る。これは、並べ替え順番が後ろにある捜索空間と、並べ替え順番が前にある捜索空間との間に重複部分をもたらすことができ、一方、同じ１つの候補PDCCHの対応する全ての捜索空間が全て同じ１つの捜索空間組に属するので、サブステップ401の方式を採用して重複部分から検出したPDCCHにCIFの値が存在しない場合、ある列の捜索空間組におけるどの捜索空間がこのPDCCHに真に対応するかを区別することができず、さらに、該PDCCHがどのコンポーネントキャリアのものであるかを把握することができない。よって、該CIFの値は、前記現在のPDCCHのアグリゲーションレベル及び使用可能なCCEの総数に基づいて捜索空間に対して設計を行う時に、PDCCHの位置が各捜索空間に重複して出現する回数を表す必要がある。具体的な説明は、上述のように例を挙げて行ったので、ここでは、その説明を略す。
【００４６】
サブステップ402では、CIFの値があることにより、現在に検出したDCIがどのコンポーネントキャリアに属するかを唯一に確定することができる。図5では、次の式
【数５】
0005569652.tif 000007
が示されており、該式は、CIFの値を計算するために用いられる。なお、当業者が理解すべきは、この式がCIFの複数の計算方式のうちの１つだけであり、本発明におけるCIFの計算方式を限定するためのものではないとのことである。
【００４７】
本実施例におけるUEについて言えば、それは、eNBが送信しているCIFの値のみを受信し、計算を行わないので、次の式
【数６】
0005569652.tif 000008
を採用しても、該式の値、及び既に知られているm、M(L)、NCCE,K及びLの値に基づいて、ｎCLの値を算出するだけである。前記ｎCLは、ただ一つの捜索空間の順番号を表し、UE側では、該順番号に基づいて１つの唯一の捜索空間を確定した後に、該捜索空間が対応する１つのスケジューリングされているコンポーネントキャリアを得ることができる。
【００４８】
実際の応用では、UEは、検出した現在のPDCCHが対応するコンポーネントキャリアを確定した時に、対応するコンポーネントキャリアで、下りデータの受信又は上りデータの伝送を行ってもよい。よって、本実施例は、さらに、前記スケジューリング情報に従って、前記スケジューリングされているコンポーネントキャリア上で、eNBが送信している下りデータを受信し、又は上りデータを伝送するステップを含んでもよい。
【００４９】
本実施例に開示の、UEがスケジューリングされているコンポーネントキャリアを確定する方法によれば、3つのビットのCIFがサポートできる同時伝送のコンポーネントキャリアの数は8個より大きく、具体的なサポート可能な数は、CCEの総数及びPDCCHのアグリゲーションレベルに関連する。或いは、各アグリゲーションレベルの下で、全て、8個以上のコンポーネントキャリアのサポートを保証する場合、2ビットのみのCIF情報を使用することができるができ、残りの1個のビットは、拡張機能として用いられてもよい。本実施例に紹介した、スケジューリングされているコンポーネントキャリアの確定方法により、より多くのコンポーネントキャリアの数を確定することができ、又は、従来技術と同様に8個のコンポーネントキャリアをスケジューリングすることができる場合、使用するCIFのビット数を減らし、システムのリソースを節約することができる。
【００５０】
図6を参照するに、図６は、本発明がeNB側に用いられる第二実施例のフローチャートであり、本実施例は、具体的に、ステップ601、602及び603を含んでもよい。次に、各ステップの操作（処理）について詳細に説明する。
【００５１】
ステップ601：eNBは、ユーザ端末UEのスケジューリングされているコンポーネントキャリアに基づいてCIFの値を計算する。
【００５２】
本実施例では、eNBは、スケジューリングされているコンポーネントキャリアの標識（識別子又はフラグ）により、UEに送信する必要のあるCIFの値を直接計算することができる。UEについて言えば、現在のPDCCHを検出して取得した時に、現在のPDCCHの位置を知ることができ、さらに、現在のPDCCHの位置に出現可能な捜索空間を知ることができ、即ち、幾つかの確定されているコンポーネントキャリアの捜索空間に属する可能性があることを確定しており、この幾つかの確定されている捜索空間は、該DCI位置に出現する可能性のある捜索空間の組み合わせと理解され得る。よって、eNBは、CIFの値を計算する時に、UEが該値に基づいて、既に確定されている捜索空間の組み合わせから１つのコンポーネントキャリアの捜索空間を更に確定できることのみを考慮すればよい。
【００５３】
本実施例では、CIFの値は、PDCCHのアグリゲーションレベル及びCCEの総数等と関係が存在し、且つ、CIFの値は、捜索空間の組み合わせから、１つの捜索空間を唯一に確定することができ、よって、CIFの満足すべき条件は、CIFの値が、あるアグリゲーションレベルで、PDCCHの出現可能な位置の個数と反比例し、１つの捜索空間の順番号と正比例し、前記PDCCHの出現可能な位置の個数は、スケジューリング用コンポーネントキャリアの使用可能なCCEの総数と、PDCCHのアグリゲーションレベルとの商であり、また、CIFが3個のみのビットを有するので、eNBが計算するCIFの値の範囲は、{0〜7}であり、CIFは、0、1、2、3、4、5、6及び7のトータルで８個の値を取ることができる。
【００５４】
オプションで、eNBがCIFの値を計算する時に、次の式で計算を行ってもよい。
【数７】
0005569652.tif 000009
【００５５】
そのうち、mは、現在のPDCCHが捜索空間にある位置の順番号を表し、Lは、現在のPDCCHのアグリゲーションレベルであり、M(L)は、アグリゲーションレベルがLである場合に、１つの捜索空間における候補PDCCHの総数を表し、ｎCLは、スケジューリングされているコンポーネントキャリアが対応する捜索空間の順番号を表し、NCCE,Kは、前記スケジューリング用コンポーネントキャリアが使用可能なCCEの総数を表し、
（外２）
0005569652.tif 000010
は、floor演算（最も小さい整数値にする）を表す。
【００５６】
もちろん、上述の式は、eNBがCIFの値を計算するための１つの方式だけであり、CIFの満足すべき条件に符合する他の計算方式は全て採用され得る。例えば、CIFと、各関連するパラメータとの間の上述の関係を表し得る関数を採用してCIFを計算してもよく、又は、次の式を採用して変形を行うことにより他の式を取得してもよい。
【数８】
0005569652.tif 000011
【００５７】
ステップ602：前記CIFの値及び下り制御情報DCIに基づいて、前記UEの現在のPDCCHを生成し、そして、それを適切なCCE位置に置く。
【００５８】
eNBは、さらに、算出のCIFの値及びDCI情報に基づいて、UEの現在のPDCCHを生成し、そして、それを適切なCCE位置に置く。該現在のPDCCHは、上述のスケジューリングされているコンポーネントキャリアと一対一対応し、また、スケジューリング用コンポーネントキャリア上でUEに送信される。
【００５９】
ステップ603：スケジューリング用コンポーネントキャリア上で該UEにスケジューリング情報を送信し、該スケジューリング情報は現在のPDCCHを含む。
【００６０】
本発明の実施例に開示のスケジューリング情報の送信方法により、eNBは、特殊の計算方式を採用してCIFの値を求めることができ、CIFは、依然として3個のビットの長さを有するが、CIFが表す意味は既に変化しているので、本実施例に開示の方法を採用することにより、スケジューリング情報を受信したUEがより多くのコンポーネントキャリアの確定を実現するようにさせることができ、さらに、eNBは、CIFの２個のビットのみを採用することにより、8個のコンポーネントキャリアの確定を実現することができるので、残りの１つのCIF値は、他の制御情報を搬送（携帯）するために用いることができ、これにより、システムのリソースを節約することができる。
【００６１】
なお、上述の一連の処理を行うステップは、上に説明した順序で時間順に従って自然に行ってもよいが、必ずしも時間順に従って行う必要がない。あるステップは、並列に又は互いに独立して行ってもよい。
【００６２】
図7を参照するに、図７は、本発明によるユーザ端末の１つの実施例を示す図であり、ユーザ端末は、マルチキャリア無線通信システムに適応できる。かかるユーザ端末は、ユーザ端末UEで、スケジューリング用コンポーネントキャリアが対応する第一専用捜索空間に、eNBが送信しているスケジューリング情報を受信するためのスケジューリング情報検出モジュール701であって、スケジューリング情報は、少なくとも１つの候補物理下り制御チャンネルPDCCHを含む、スケジューリング情報検出モジュール701；前記少なくとも１つの候補PDCCHを検出し、該UEに属する１つの現在のPDCCHを得るための候補PDCCH検出モジュール702；及び、現在のPDCCHの位置及びその携帯しているキャリア識別フィールドCIFの値に基づいて、現在のPDCCHが対応する、スケジューリングされているコンポーネントキャリアを確定するための確定モジュール703を含む。
【００６３】
確定モジュール703は、さらに、現在のPDCCHの位置に基づいて、現在のPDCCHが対応する捜索空間組を確定するための第一確定サブモジュールであって、同じ１つの候補PDCCHが対応する全ての捜索空間は、同じ１つの捜索空間組を構成する、第一確定サブモジュールであって；及び、CIFの値とあわせて、捜索空間組から、現在のPDCCHの所属する第二捜索空間を確定するための第二確定サブモジュールであって、該第二捜索空間は、スケジューリングされているコンポーネントキャリアが対応する捜索空間であり、該CIFの値は、現在のPDCCHのアグリゲーションレベル及び使用可能なCCEの総数に基づいて、捜索空間に対して並べ替えを行う時に重複しない（非重複）回数を表す、第二確定サブモジュールを含む。
【００６４】
UEに関する本実施例では、CIFの値は、あるアグリゲーションレベルで、PDCCHの出現可能な位置の個数と反比例し、１つの捜索空間の順番号と正比例し、前記PDCCHの出現可能な位置の個数は、スケジューリング用コンポーネントキャリアの使用可能なCCEの総数と、現在のPDCCHのアグリゲーションレベルとの商であり、CIFの値の範囲は、{0〜7}である。
【００６５】
オプションで、該CIFの計算式は、具体的に、次のようなものである。
【数９】
0005569652.tif 000012
【００６６】
そのうち、mは、現在のPDCCHが捜索空間にある位置の順番号を表し、Lは、現在のPDCCHのアグリゲーションレベルであり、M(L)は、アグリゲーションレベルがLである場合に、１つの捜索空間における候補PDCCHの総数を表し、ｎCLは、スケジューリングされているコンポーネントキャリアが対応する捜索空間の順番号を表し、NCCE,Kは、前記スケジューリング用コンポーネントキャリアが使用可能なCCEの総数を表し、
（外３）
0005569652.tif 000013
は、floor演算（最も小さい整数値にする）を表す。
【００６７】
本実施例に開示のUEの各捜索空間の分布は、連続的又は固定間隔を有するものであり、これにより、各１つの捜索空間組における捜索空間の順番号が等間隔で分布されるようになる。もちろん、当業者が容易に理解すべきは、類似する特性を有する任意の他の各種の捜索空間の分布も使用され得るとのことである。
【００６８】
実際の応用では、前記UEは、さらに、スケジューリング情報に従って、スケジューリングされているコンポーネントキャリア上で、eNBが送信している下りデータを受信し、又は上りデータを伝送するためのデータ処理モジュールを含んでもよい。
【００６９】
図8を参照するに、図８は、本発明の実施例により基地局の構造を示す図であり、前記基地局は、マルチキャリア無線通信システムに応用され、該システムは、具体的に、ユーザ端末UEのスケジューリングされているコンポーネントキャリアに基づいて、キャリア識別フィールドCIFの値を計算するための計算モジュール801；CIFの値と下り制御情報DCIと組み合わせて、UEの現在のPDCCHを生成するための候補PDCCH生成モジュール802；及び、スケジューリング用コンポーネントキャリア上で、該UEに、スケジューリング情報を送信するためのスケジューリング情報送信モジュール803であって、該スケジューリング情報は現在のPDCCHを含む、スケジューリング情報送信モジュール803を含んでもよい。
【００７０】
eNBの実施例では、計算モジュール801は、さらに、ユーザ端末のスケジューリングされているコンポーネントキャリアに基づいて、次の条件を満たすCIFの値を計算するように構成され、即ち、CIFの値が、下り制御情報DCIの個数と反比例し、捜索空間における候補PDCCHの個数と正比例し、DCIの個数は、スケジューリング用コンポーネントキャリアの使用可能なCCEの総数と、現在のPDCCHのアグリゲーションレベルとの商であり、CIFの値の範囲は、{0〜7}である。
【００７１】
或いは、計算モジュール801は、さらに、次の式
【数１０】
0005569652.tif 000014
により、キャリア識別フィールドCIFの値を計算するように構成され、そのうち、mは、現在のPDCCHが捜索空間にある位置の順番号を表し、Lは、現在のPDCCHのアグリゲーションレベルであり、M(L)は、アグリゲーションレベルがLである場合に、１つの捜索空間における候補PDCCHの総数を表し、ｎCLは、スケジューリングされているコンポーネントキャリアが対応する捜索空間の順番号を表し、NCCE,Kは、前記スケジューリング用コンポーネントキャリアが使用可能なCCEの総数を表し、
（外４）
0005569652.tif 000015
は、floor演算（最も小さい整数値にする）を表す。
【００７２】
図9を参照するに、本発明の実施例は、さらに、マルチキャリア無線通信システムに関し、該システムは、上述の任意の実施例における上述のユーザ端末、及び上述の任意の実施例における上述の基地局を含んでもよい。
【００７３】
なお、本実施例によるマルチキャリア無線通信システムでは、例えば、図7に示すUE及び図8示す基地局を含んでもよい。該システムの基地局及び終端ユーザUEの間に行う、スケジューリングされているコンポーネントキャリアの確定方法は、例えば、上述の図1〜8に基づく説明を参照することができるので、ここでは、具体的な細部の説明を略す。また、図9に示すのは、１つの基地局と１つのユーザ端末とが通信を行うシーンであるが、当業者が理解すべきは、本発明の本実施例による通信システムがさらに、複数のユーザ端末を含んでもよく、そのうちの各々が全て本発明の上述の各実施例に説明した、スケジューリングされているコンポーネントキャリアの確定方法を行ってもよいとのことである。
【００７４】
本発明の実施例によれば、マシン可読な命令コードを記憶しているプログラムプロダクトが開示され、前記命令コードは、マシンにより読み出されて実行されている時に、本発明に開示の、スケジューリングされているコンポーネントキャリアを確定するための方法を実行することができる。同時に、本発明の実施例によれば、記憶媒体が開示され、それは、マシン可読な命令コードを記録しており、前記命令コードは、マシンにより読み出されて実行されている時に、本発明に開示の、スケジューリングされているコンポーネントキャリアを確定するための方法を実行することができる。
【００７５】
なお、上述の各実施例に記載の一連の処理及び装置は、ソフトウェア又はファームウェアにより実現してもよい。ソフトウェア又はファームウェアにより実現する場合、記憶媒体又はネットワークから、専用ハードウェア構造を有するコンピュータ、例えば、図10に示す汎用コンピュータ100に、該ソフトウェアを構成するプログラムをインストールし、該コンピュータは、各種のプログラムがインストールされている時に、各種の機能等を実行することができる。
【００７６】
図10では、中央処理ユニット(CPU）110が、読み出し専用メモリ(ROM）120に保存されたプログラム又は記憶部180からランダムアクセスメモリ(RAM）130にロードされているプログラムに基づいて、各種の処理を行う。RAM  130は、必要に応じて、CPU  110が各種の処理を行う時に必要なデータを保存してもよい。
【００７７】
CPU  110、ROM  120及びRAM  130は、バス140により互いに接続される。入力/出力インタフェース150もバス140に接続される。
【００７８】
入力/出力インタフェース150には、入力部160（キーボード、マウスなどを含む）、出力部170（陰極線管（Cathode  Ray  Tube：CRT）や液晶表示器（LCD）などのようなディスプレイ、及びスピーカなどを含む）、記憶部180（ハードディスクなどを含む）、通信部190（LANカードのようなネットワークインタフェースカード、モデムなどを含む）が接続される。通信部190は、インターネットのようなネットワークを介して通信処理を行う。
【００７９】
必要に応じて、入力/出力インタフェース150にドライブ210も接続される。必要な場合、ドライブ210に例えば磁気ディスク、光ディスク、磁気光ディスク、半導体メモリなどのような取り外し可能な媒体220が装着されることにより、その媒体から読み出されたコンピュータプログラムが必要に応じて記憶部180にインストールされる。
【００８０】
上述した一連の処理をソフトウェアで実現する場合、例えばインターネットのようなネットワーク又は取り外し可能な媒体220のような記憶媒体からソフトウェアを構成するプログラムをインストールすることができる。
【００８１】
このような記憶媒体は、図10に示すように、プログラムが記憶され、ユーザにプログラムを供給するように装置と別体で配られる取り外し可能な媒体220には限られないことが当業者は理解できるだろう。脱着可能な媒体220の例として、磁気ディスク(ソフトディスク（登録商標）を含む)、光ディスク(光ディスクロードオンリーメモリ（CD−ROM）及びデジタルバーサティルディスク(DVD)を含む)、磁気光ディスク(ミニディスク（MD）（登録商標）を含む))、半導体メモリが挙げられる。又は、記憶媒体はプログラムが記憶され且つそれを内蔵する装置とともにユーザに配られるROM  120、記憶部180に含まれるハードディスクなどであってもよい。
【００８２】
最後に説明すべきは、本文では、「含む」、「包括（有する）」の語又はその他の変形語は、非排他的な「含む」を包括するため用いられ、これにより、一連の要素を含むプロセス、方法、物品又は装置は、これらの要素だけでなく、明記されていない他の要素を含んでもよく、又は、このプロセス、方法、物品又は装置が所有する固有の要素を含むものである。より多くの限定が無い場合、「・・・を含む」という語句で限定される要素は、この要素を含むプロセス、方法、物品又は装置に存在する他の同じ要素を排除しない。
【００８３】
以上、本発明の好ましい実施形態を説明したが、本発明はこの実施形態に限定されず、本発明の趣旨を離脱しない限り、本発明に対するあらゆる変更は本発明の技術的範囲に属する。
【図１】
0005569652.tif 000024
【図２】
0005569652.tif 000025
【図３】
0005569652.tif 000026
【図４】
0005569652.tif 000027
【図５】
0005569652.tif 000028
【図６】
0005569652.tif 000029
【図７】
0005569652.tif 000030
【図８】
0005569652.tif 000031
【図９】
0005569652.tif 000032
【図１０】
0005569652.tif 000033